【事件の表示】
　平成１１年特許願第　７３７８６号「弾球遊技機の図柄表示方法及び弾球遊技機」拒絶査定不服審判事件〔平成１２年　９月２６日出願公開、特開２０００−２６２６８２〕について、次のとおり審決する。
【結　論】
　本件審判の請求は、成り立たない。
【理　由】
　
第１，手続きの経緯・本願発明
　本願は、平成１１年３月１８日に出願され、平成１３年４月２０日付で拒絶査定がされ、これに対し、同年５月３０日に審判請求がされるとともに同年６月２０日に手続補正書を提出して特許請求の範囲について明りょうでない記載の補正を行ったものであって、その請求項１乃至８に係る発明は、前記手続補正書にて補正された明細書及び出願当初の図面の記載からみて、本願の特許請求の範囲の請求項１乃至８に記載されたとおりのものと認められるところ、その請求項１に記載された発明は次のとおりのものである。
　【請求項１】遊技盤（４）に装着された１つの液晶表示手段（１３）に、第１始動手段（１４）の遊技球の検出による第１の始動検出により変動して、その変動後に当たり図柄を表示したときに第２始動手段（１５）に遊技球を入賞し易くするための図柄を含む第１図柄（２３ａ）（２３ｂ）と、前記第２始動手段（１５）の遊技球の検出による第２の始動検出により変動して、その変動後に大当たり図柄を表示したときに遊技者に有利な特定状態を発生させるための図柄を含む第２図柄（２４）とを表示し、前記第１図柄（２３ａ）（２３ｂ）の変動に際して、該第１図柄（２３ａ）（２３ｂ）の図柄本体（２８ａ）（２８ｂ）とその図柄背景（２７ａ）（２７ｂ）とが変動し、前記第２図柄（２４）の変動に際して、該第２図柄（２４）の図柄本体（３０ａ）〜（３０ｃ）とその図柄背景（２９）とが変動することを特徴とする弾球遊技機の図柄表示方法（以下「本願発明」という）。
　
　なお、上記平成１３年６月２０日付手続補正書による補正は特許法第１７条の２第４項第４号に掲げる事項を目的とするものである。
　
第２，引用刊行物に記載された発明
　原査定の拒絶の理由に引用文献１として引用された、特開平６−２３３８６３号公報（以下、「引用刊行物１」という）の
　段落番号【０００１】には、「【産業上の利用分野】本発明は、第１の図柄変動表示手段の変動表示結果に基づいて第１の変動入賞装置を予め定めた態様で駆動制御し、第２の図柄変動表示手段の変動表示結果に基づいて第２の変動入賞装置を予め定めた態様で駆動制御する遊技機に関するものである。」と、
　段落番号【０００５】には、「【作用】第１の図柄変動表示手段と第２の図柄変動表示手段とを１つの電気的図柄変動表示装置で構成すると共に、該電気的図柄変動表示装置の表示領域を複数に区画して各区画表示領域に第１の図柄変動表示機能と第２の図柄変動表示機能とを付与したので、遊技者は、１つの電気的図柄変動表示装置を注視することにより同時に２つの変動表示動作を確認することができて遊技に集中することができる。また、１つの電気的図柄変動表示装置を遊技盤に取り付けるだけで良いと共に配線も電気的図柄変動表示装置から延びるものだけを処理すれば良いので、遊技盤の製造がそれだけ簡便となる。」と、
　段落番号【０００６】には、「・・・まず、図２を参照して実施例に係る図柄変動表示装置２０が適用される遊技機の一例としてのパチンコ機の遊技盤１の構成について説明する。図２は、遊技盤１の正面図である。図において、遊技盤１の前面には、ほぼ円状に設けられる誘導レール２によって区画された遊技領域３が形成されている。遊技領域３のほぼ中央には、図柄変動表示装置２０が配置されている。」と、
　段落番号【０００７】には、「この図柄変動表示装置２０は、特別図柄変動表示領域２４及び普通図柄変動表示領域２５ａ，２５ｂに区画された表示領域を有する液晶表示器２３と、・・・がそれぞれ前面に臨むようになっている。・・・」と、
　段落番号【０００８】には、「上記した図柄変動表示装置２０の下方に変動入賞装置７が配置されている。変動入賞装置７は、前後に開閉する開閉板８（アタッカーとも言われる）を有しており、その開閉板８がアタッカーソレノイド９によって開閉駆動されるようになっている。・・・上記のように構成される変動入賞装置７は、後述する大当り遊技状態となったときに開閉板８が一定時間（例えば、３０秒）経過するまで、あるいは所定個数（例えば、１０個）の入賞玉が発生するまで開放し、そのような開放状態（これを開放サイクルという）をＶ入賞口に入賞玉が入賞することを条件として所定回数（例えば、１６回；これを継続回数という）繰り返すようになっている。・・・」と、
　段落番号【０００９】には、「また、遊技領域３には、図柄変動表示装置２０と変動入賞装置７との間に電動チューリップ式始動入賞口４（以下、電動始動入賞口４という）が設けられている。この電動始動入賞口４は、図柄変動表示装置２０の特別図柄変動表示領域２４の変動表示を許容するものであり、このため、電動始動入賞口４は、打球の入賞を検出する始動入賞玉検出スイッチ６を内蔵している。また、電動始動入賞口４は、チューリップソレノイド５によって開閉制御される変動入賞装置を構成するものであるが、このチューリップソレノイド５は、図柄変動表示装置２０の普通図柄変動表示領域２５ａ，２５ｂが予め定めた当り図柄を表示したときに一定時間（例えば、３秒）が経過するまで又は所定個数（例えば、４個）の入賞玉が発生するまで開放するものである。・・・」と、
　段落番号【００１０】には、「更に、遊技領域３には、図柄変動表示装置２０の左右側方に通過玉検出スイッチ１４ａ，１４ｂを内蔵する通過口１３ａ，１３ｂが配置されている。この通過口１３ａ，１３ｂは、図柄変動表示装置２０の普通図柄変動表示領域２５ａ，２５ｂの変動表示を許容するものである。・・・」と、
　段落番号【００１１】には、「ところで、前記した図柄変動表示装置２０においては、図１に示すように、遊技盤１の表面に取り付けられる取付基板２１を有し、該取付基板２１には、ほぼ長方形状の表示窓２２が開設され、該表示窓２２に液晶表示器２３が臨むようになっている。そして、液晶表示器２３は、その表示領域が上方の広範囲を占める特別図柄変動表示領域２４と下方の狭い範囲を占める普通図柄変動表示領域２５ａ，２５ｂとに区画されている。特別図柄変動表示領域２４は、３列の変動表示列が表示され、各変動表示列に３個の図柄が変動表示されるようになっている。そして、３本の水平方向及び２本の対角線方向の当りライン上に停止する３個の図柄が予め定めた大当り図柄の組合せである場合に、大当り遊技状態となって変動入賞装置７の開閉板８を前記した態様で駆動制御するものである。また、普通図柄変動表示領域２５ａ，２５ｂは、左右２つ設けられるが、左側の普通図柄変動表示領域２５ａは、通過口１３ａに対応し、右側の普通図柄変動表示領域２５ｂは、通過口１３ｂに対応するもので、それぞれ３個の図柄を横方向に変動表示可能に構成され、その３個の図柄が予め定めたお当り図柄の組合せである場合に、前記電動始動入賞口４を前記した態様で駆動制御するものである。・・・」と、
　段落番号【００１８】には、「・・・特別図柄（又は普通図柄）において大当り（又は当り）の出現確率が・・・」と、
　段落番号【００３４】には、「以上、実施例に係る図柄変動表示装置２０を備えたパチンコ機の構成及び作用について説明したが、本実施例によれば、液晶表示器２３の表示領域を特別図柄変動表示領域２４と普通図柄変動表示領域２５ａ，２５ｂとに区画して各区画表示領域に特別図柄変動表示機能と普通図柄変動表示機能とを付与したので、遊技者は、１つの液晶表示器２３を注視することにより特別図柄変動表示領域２４と普通図柄変動表示領域２５ａ，２５ｂとにおける変動表示動作を同時に確認することができて遊技に集中することができる。また、１つの液晶表示器２３を遊技盤１に取り付けるだけで良いと共に配線も液晶表示器２３から延びるものだけを処理すれば良いので、遊技盤１の製造がそれだけ簡便となる。」と、
　段落番号【００３５】には、「・・・また、表示領域の区画形態は、任意に区画すれば良く、例えば、特別図柄表示領域と普通図柄表示領域とがそれぞれ１つずつであっても良いし、あるいはすべて普通図柄表示領域だけでも良い。・・・」と、
　段落番号【００３６】には、「【発明の効果】以上、説明したところから明らかなように、本発明においては、第１の図柄変動表示手段と第２の図柄変動表示手段とを１つの電気的図柄変動表示装置で構成すると共に、該電気的図柄変動表示装置の表示領域を複数に区画して各区画表示領域に第１の図柄変動表示機能と第２の図柄変動表示機能とを付与したので、遊技者は、１つの電気的図柄変動表示装置を注視することにより同時に２つの変動表示動作を確認することができて遊技に集中することができる。また、１つの電気的図柄変動表示装置を遊技盤に取り付けるだけで良いと共に配線も電気的図柄変動表示装置から延びるものだけを処理すれば良いので、遊技盤の製造がそれだけ簡便となる。」と、それぞれ記載されているから、　
　引用刊行物１には、
「遊技盤１に取り付けられた１つの液晶表示器２３に、
　通過玉検出スイッチ１４ａ，１４ｂを内蔵している通過口１３ａ，１３ｂにより変動表示を許容され、その変動表示結果が予め定めた当り図柄の組合せである場合に、電動始動入賞口４を開放させる普通図柄変動表示領域２５ａ，２５ｂに表示される普通図柄と、
　打球の入賞を検出する始動入賞玉検出スイッチ６を内蔵している電動始動入賞口４により変動表示を許容され、その変動表示結果が予め定めた大当り図柄の組合せである場合に、大当り遊技状態となって変動入賞装置７の開閉板８を開放させる特別図柄変動表示領域２４に表示される特別図柄とを、
　表示するパチンコ機の図柄表示方法であって、
　左右２つの普通図柄変動表示領域２５ａ，２５ｂは１つであっても良く、
　１つの液晶表示器２３を遊技盤１に取り付けるだけで良いので、遊技盤１の製造が簡便となり、
　１つの液晶表示器２３を注視することにより、特別図柄変動表示領域２４と普通図柄変動表示領域２５ａ，２５ｂとにおける変動表示動作を同時に確認することができるパチンコ機の図柄表示方法」の発明（以下「引用発明１」という）が記載されていると認められる。
　
　また、原査定時に周知技術が記載されているとして引用された、“パチンコ必勝ガイド爆裂年鑑‘９８”，株式会社白夜書房，平成１０年２月９日，第１０巻，第３号（以下「引用刊行物２」という）の、
　ｐ．４６には「予告・スベリも前作と同様　忍者出現でリーチ確定」の見出しに続いて「デジタル回転中に背景を忍者が横切るとリーチ予告で、その回転で必ずリーチがかかる。・・・」と、
　ｐ．５４の左上部の「御来光リーチ」の欄の映像部分には「複数の矩形状の部分で一部が隠された山の光景」が示され、その左側には「必ず大当りとなる、いわゆる全回転リーチ。通常時とは違い、右→中→左とデジタルが揃い「十一」から全回転動作を行う。「四」を通過したところで富士山が出現し、この後「一」から「十二」のどこかで停止。」と、それぞれ記載されているから、
　引用刊行物２には、
「デジタル回転中に背景を忍者が横切る、パチンコ機におけるデジタル表示方法及び回転中の右・中・左デジタルの背景に富士山が出現する、パチンコ機におけるデジタル表示方法」の発明が記載されていると認められる。
　
第３，本願発明と引用発明との比較・検討
　上記のように引用発明１には「普通図柄変動表示領域を１つとする」ことが記載されているから、この場合について検討する。
　引用発明１の「液晶表示器２３」は本願発明の「液晶表示手段（１３）」に、「パチンコ機」は「弾球遊技機」に、それぞれ相当する。そして、引用発明１の「通過玉検出スイッチ１４ａ，１４ｂを内蔵している通過口１３ａ，１３ｂにより変動表示を許容され、その変動表示結果が予め定めた当り図柄の組合せである場合に、電動始動入賞口４を開放させる普通図柄変動表示領域２５ａ，２５ｂに表示される普通図柄」という技術事項は本願発明の「第１始動手段（１４）の遊技球の検出による第１の始動検出により変動して、その変動後に当たり図柄を表示したときに第２始動手段（１５）に遊技球を入賞し易くするための図柄を含む第１図柄（２３ａ）（２３ｂ）」という技術事項に、「打球の入賞を検出する始動入賞玉検出スイッチ６を内蔵している電動始動入賞口４により変動表示を許容され、その変動表示結果が予め定めた大当り図柄の組合せである場合に、大当り遊技状態となって変動入賞装置７の開閉板８を開放させる特別図柄変動表示領域２４に表示される特別図柄」という技術事項は「第２始動手段（１５）の遊技球の検出による第２の始動検出により変動して、その変動後に大当たり図柄を表示したときに遊技者に有利な特定状態を発生させるための図柄を含む第２図柄（２４）」という技術事項に、それぞれ相当するから、両者の一致点及び相違点は次のとおりである。
　
　一致点
　遊技盤に装着された１つの液晶表示手段に、第１始動手段の遊技球の検出による第１の始動検出により変動して、その変動後に当たり図柄を表示したときに第２始動手段に遊技球を入賞し易くするための図柄を含む第１図柄と、前記第２始動手段の遊技球の検出による第２の始動検出により変動して、その変動後に大当たり図柄を表示したときに遊技者に有利な特定状態を発生させるための図柄を含む第２図柄とを表示する弾球遊技機の図柄表示方法
　相違点
　第１図柄及び第２図柄の変動に際して、本願発明では、第１図柄の図柄本体とその図柄背景及び第２図柄の図柄本体とその図柄背景とが変動するのに対し、引用発明１では、図柄背景が明示されておらず、どのように変動するか明らかでない点
　　
　そこで、上記相違点について検討する。
　
　弾球遊技機において、図柄本体（デジタル）の変動中にその図柄背景が変動する（背景を忍者が横切る、及び背景に富士山が出現する）技術は引用刊行物２に記載されているように周知技術であるから、当該周知技術を弾球遊技機という共通する技術分野である引用発明１に適用することは、当業者が容易になし得ることである。ここで、審判請求人は審判請求書において、当該技術は「第２図柄の変動に際して、その本体図柄と背景とを変動させるものが記載されているが、第１図柄の背景に相当するものが欠如し、第１図柄の本体図柄に相当する図柄が変動するのみであり、背景が変動するようにはなっていない」旨を主張するが、本願発明における第１図柄と第２図柄との間において、表示方法としての技術的な差異は認められず、第１図柄及び第２図柄が１つの液晶表示手段に表示されるものであれば足りるのであるから、上記の図柄背景が変動するという周知技術を引用発明１における普通図柄と特別図柄とのそれぞれに適用し、上記相違点に係る本願発明を特定する事項とすることは、当業者が引用発明１に基づいて容易になし得ることである。
　そして、効果においても、引用発明１が上記のように「遊技盤の製造が簡便となり、特別図柄変動表示領域と普通図柄変動表示領域とにおける変動表示動作を同時に確認することができる」ものであるから、本願発明に格別の作用効果は認められない。
　　
第４，むすび
　上記のように、本願の請求項１に係る発明は、引用刊行物１に記載された発明及び周知技術に基づいて当業者が容易に発明をすることができたものであるから、特許法第２９条第２項の規定により特許を受けることができないものであり、他の請求項に係る発明について検討するまでもなく、本願は拒絶すべきものである。
　
　よって、結論のとおり審決する。